(57)【要約】【課題】上下方向にスライド移動すると共に左右方向に折り畳まれるようにして、多様な機能を満たすことのできるスライドモジュール及びそのスライドモジュールを有する携帯端末機を提供する。【解決手段】本発明による携帯端末機は、第１筺体と、前記第１筐体が開閉可能に装着される第２筐体と、前記第１筺体と前記第２筐体との間に装着され、前記第１筐体を一方向にスライド移動させると共に他方向に折り畳むスライドモジュールとを含む。【選択図】図４
2007116709.tif 000002
【特許請求の範囲】
【請求項１】
第１筺体と、
前記第１筐体が開閉可能に装着される第２筐体と、
前記第１筺体と前記第２筐体との間に装着され、前記第１筐体を一方向にスライド移動させると共に他方向に折り畳むスライドモジュールと、
を含むことを特徴とする携帯端末機。
【請求項２】
前記第１筐体は、その前面にフロントディスプレイが装着され、その背面にリアディスプレイが装着され、その背面の両側に一対のスピーカが装着されることを特徴とする請求項１に記載の携帯端末機。
【請求項３】
前記第１筐体の一側面には、前記スライドモジュールが回転可能に装着されるヒンジ連結部が形成されることを特徴とする請求項１に記載の携帯端末機。
【請求項４】
前記第２筐体は、その前面の全領域に複数のキーが装着されることを特徴とする請求項１に記載の携帯端末機。
【請求項５】
前記スライドモジュールは、
前記第１筐体に回転可能に支持されるヒンジ部材と、
前記ヒンジ部材に固定されるスライド部材と、
前記スライド部材がスライド移動可能に支持されて前記第２筐体に固定されるスライドレールと、
を含むことを特徴とする請求項１に記載の携帯端末機。
【請求項６】
前記ヒンジ部材は、その両端がそれぞれ前記第１筐体に形成されるヒンジ連結部に回転可能に装着される棒状に形成されることを特徴とする請求項５に記載の携帯端末機。
【請求項７】
前記ヒンジ部材の内部には、その長手方向に前記第１筐体に接続されるＦＰＣが通過する通路が設けられることを特徴とする請求項６に記載の携帯端末機。
【請求項８】
前記ヒンジ部材には、前記通路を通過したＦＰＣが前記第２筐体に接続されるように引き出される引出孔が形成されることを特徴とする請求項７に記載の携帯端末機。
【請求項９】
前記第２筐体の側面には、その長手方向に前記引出孔を通過したＦＰＣが重なった状態で収納されるＦＰＣ収納部が形成されることを特徴とする請求項８に記載の携帯端末機。
【請求項１０】
前記ヒンジ部材と前記第１筐体との間には、前記第１筐体の回転方向に付勢するカムユニットが装着されることを特徴とする請求項５に記載の携帯端末機。
【請求項１１】
前記カムユニットは、
前記ヒンジ部材の内部に固定されるハウジングと、
第１カム面を有し、前記ハウジングの内部に直線移動可能に装着される第１カムと、
前記第１カム面に接触する第２カム面を有し、前記ハウジングの内部に回転可能に配置される第２カムと、
前記第２カムが連結されて前記第１筐体に固定されるヘッドと、
前記ハウジングの内部に配置されて前記第１カムを付勢するスプリングと、
から構成されることを特徴とする請求項１０に記載の携帯端末機。
【請求項１２】
前記スライド部材は、その側面に前記ヒンジ部材が固定され、その両側縁部には前記スライドレールにスライド移動可能に装着されるレール部が形成されることを特徴とする請求項５に記載の携帯端末機。
【請求項１３】
前記スライドレールは、前記第２筐体の上面に締結され、その両側縁部に前記レール部が挿入されるガイド突起が形成されることを特徴とする請求項１２に記載の携帯端末機。
【請求項１４】
前記スライドレールは、前記スライド部材が支持された状態で前記第２筐体の内部に装着されることを特徴とする請求項１２に記載の携帯端末機。
【請求項１５】
前記第２筐体の上面に設置され、前記第１筐体が折り畳まれるときに衝撃を緩和すると共に前記第１筐体がスライド移動するときにガイドする緩衝部材をさらに含むことを特徴とする請求項１に記載の携帯端末機。
【請求項１６】
前記緩衝部材は、前記第２筐体の長手方向に前記第２筐体の上面に突設されることを特徴とする請求項１５に記載の携帯端末機。
【請求項１７】
前記第２筐体には、前記スライド部材がスライド移動して開くか又は閉じるときに前記スライド部材が係止されるストッパが形成されることを特徴とする請求項５に記載の携帯端末機。
【請求項１８】
前記ストッパは、前記第２筐体の内側面に突設され、
前記スライド部材が開方向へのスライド移動時に係止される第１ストッパと、
前記スライド部材が閉方向へのスライド移動時に係止される第２ストッパと、
から構成されることを特徴とする請求項１７に記載の携帯端末機。
【請求項１９】
第１筐体に回転可能に支持されるヒンジユニットと、
前記ヒンジユニットが固定されるスライド部材と、
前記スライド部材がスライド移動可能に装着されて第２筐体に固定されるスライドレールと、
を含むことを特徴とするスライドモジュール。
【請求項２０】
前記ヒンジ部材は、その両端がそれぞれ前記第１筐体に回転可能に装着される棒状に形成されることを特徴とする請求項１９に記載のスライドモジュール。
【請求項２１】
前記ヒンジ部材と前記第１筐体との間には、前記第１筐体の回転方向に付勢するカムユニットが装着されることを特徴とする請求項２０に記載のスライドモジュール。
【請求項２２】
前記カムユニットは、
前記ヒンジ部材の内部に固定されるハウジングと、
第１カム面を有し、前記ハウジングの内部に直線移動可能に装着される第１カムと、
前記第１カム面に接触する第２カム面を有し、前記ハウジングの内部に回転可能に配置される第２カムと、
前記第２カムが連結されて前記第１筐体に固定されるヘッドと、
前記ハウジングの内部に配置されて前記第１カムを付勢するスプリングと、
から構成されることを特徴とする請求項２１に記載のスライドモジュール。
【請求項２３】
前記スライド部材は、その側面に前記ヒンジ部材が固定され、その両側縁部には前記スライドレールにスライド移動可能に装着されるレール部が形成されることを特徴とする請求項１９に記載のスライドモジュール。
【請求項２４】
前記スライドレールは、前記第２筐体の上面に締結され、その両側縁部に前記レール部が挿入されるガイド突起が形成されることを特徴とする請求項２３に記載のスライドモジュール。
【発明の詳細な説明】
【技術分野】
【０００１】
本発明はスライドモジュールを有する携帯端末機に関し、より詳細には、一方向にスライド移動して他方向に折り畳まれる、スライドモジュール及びそのスライドモジュールを有する携帯端末機に関する。
【背景技術】
【０００２】
図１１は、従来のスライド型携帯端末機の斜視図である。
【０００３】
従来のスライド型携帯端末機は、各種情報を視覚的に表示するディスプレイ１１２が装着されるディスプレイユニット１１０と、ディスプレイユニット１１０がスライド移動可能に装着され、情報を入力するキーパッド１２２及びバッテリ１２４が装着される端末機本体１２０と、ディスプレイユニット１１０と端末機本体１２０との間に設置され、ディスプレイユニット１１０を端末機本体１２０に対して相対的にスライド移動させるスライドモジュール（図示せず）とから構成される。
【０００４】
このような従来のスライド型携帯端末機は、ディスプレイユニット１１０が長手方向にスライドアップすると開放され、スライドダウンすると閉じる。ここで、従来のスライド型携帯端末機においては、ディスプレイユニット１１０が長手方向にスライドアップして開放されると、端末機本体１２０に設置されたキーパッド１２２が外部に露出し、キーパッド１２２を操作して情報を入力する。
【発明の開示】
【発明が解決しようとする課題】
【０００５】
しかし、前述したような従来のスライド型携帯端末機は、ディスプレイユニットが長手方向にのみスライド移動して開閉されるため、多様な機能を満たすことができないという問題があった。
【０００６】
本発明は、このような従来技術の問題を解決するためになされたもので、上下方向にスライド移動すると共に左右方向に折り畳まれるようにして、多様な機能を満たすことのできるスライドモジュール及びそのスライドモジュールを有する携帯端末機を提供することを目的とする。
【課題を解決するための手段】
【０００７】
上記の目的を達成するために、本発明による携帯端末機は、第１筺体と、前記第１筐体が開閉可能に装着される第２筐体と、前記第１筺体と前記第２筐体との間に装着され、前記第１筐体を一方向にスライド移動させると共に他方向に折り畳むスライドモジュールとを含むことを特徴とする。
【０００８】
前記第１筐体は、その前面にフロントディスプレイが装着され、その背面にリアディスプレイが装着され、その背面の両側に一対のスピーカが装着されることを特徴とする。
【０００９】
前記第２筐体は、その前面の全領域に複数のキーが装着されることを特徴とする。
【００１０】
前記スライドモジュールは、前記第１筐体に回転可能に支持されるヒンジ部材と、前記ヒンジ部材に固定されるスライド部材と、前記スライド部材がスライド移動可能に支持されて前記第２筐体に固定されるスライドレールとを含むことを特徴とする。
【００１１】
前記ヒンジ部材は、その両端がそれぞれ前記第１筐体に形成されるヒンジ連結部に回転可能に装着される棒状に形成されることを特徴とする。
【００１２】
前記ヒンジ部材の内部には、その長手方向に前記第１筐体に接続されるＦＰＣが通過する通路が設けられることを特徴とする。
【００１３】
前記ヒンジ部材と前記第１筐体との間には、前記第１筐体の回転方向に付勢するカムユニットが装着されることを特徴とする。
【００１４】
前記スライド部材は、その側面に前記ヒンジ部材が固定され、その両側縁部には前記スライドレールにスライド移動可能に装着されるレール部が形成されることを特徴とする。
【００１５】
前記スライドレールは、前記第２筐体の上面に締結され、その両側縁部に前記レール部が挿入されるガイド突起が形成されることを特徴とする。
【００１６】
本発明による携帯端末機は、前記第２筐体の上面に設置され、前記第１筐体が折り畳まれるときに衝撃を緩和すると共に前記第１筐体がスライド移動するときにガイドする緩衝部材をさらに含むことを特徴とする。
【００１７】
上記の目的を達成するために、本発明によるスライドモジュールは、第１筐体に回転可能に支持されるヒンジユニットと、前記ヒンジユニットが固定されるスライド部材と、前記スライド部材がスライド移動可能に装着されて第２筐体に固定されるスライドレールとを含むことを特徴とする。
【００１８】
上記目的を達成するために、本発明は、例えば、以下を提供する。
（項目１）
第１筺体と、
前記第１筐体が開閉可能に装着される第２筐体と、
前記第１筺体と前記第２筐体との間に装着され、前記第１筐体を一方向にスライド移動させると共に他方向に折り畳むスライドモジュールと、
を含むことを特徴とする携帯端末機。
（項目２）
前記第１筐体は、その前面にフロントディスプレイが装着され、その背面にリアディスプレイが装着され、その背面の両側に一対のスピーカが装着されることを特徴とする項目１に記載の携帯端末機。
（項目３）
前記第１筐体の一側面には、前記スライドモジュールが回転可能に装着されるヒンジ連結部が形成されることを特徴とする項目１に記載の携帯端末機。
（項目４）
前記第２筐体は、その前面の全領域に複数のキーが装着されることを特徴とする項目１に記載の携帯端末機。
（項目５）
前記スライドモジュールは、
前記第１筐体に回転可能に支持されるヒンジ部材と、
前記ヒンジ部材に固定されるスライド部材と、
前記スライド部材がスライド移動可能に支持されて前記第２筐体に固定されるスライドレールと、
を含むことを特徴とする項目１に記載の携帯端末機。
（項目６）
前記ヒンジ部材は、その両端がそれぞれ前記第１筐体に形成されるヒンジ連結部に回転可能に装着される棒状に形成されることを特徴とする項目５に記載の携帯端末機。
（項目７）
前記ヒンジ部材の内部には、その長手方向に前記第１筐体に接続されるＦＰＣが通過する通路が設けられることを特徴とする項目６に記載の携帯端末機。
（項目８）
前記ヒンジ部材には、前記通路を通過したＦＰＣが前記第２筐体に接続されるように引き出される引出孔が形成されることを特徴とする項目７に記載の携帯端末機。
（項目９）
前記第２筐体の側面には、その長手方向に前記引出孔を通過したＦＰＣが重なった状態で収納されるＦＰＣ収納部が形成されることを特徴とする項目８に記載の携帯端末機。
（項目１０）
前記ヒンジ部材と前記第１筐体との間には、前記第１筐体の回転方向に付勢するカムユニットが装着されることを特徴とする項目５に記載の携帯端末機。
（項目１１）
前記カムユニットは、
前記ヒンジ部材の内部に固定されるハウジングと、
第１カム面を有し、前記ハウジングの内部に直線移動可能に装着される第１カムと、
前記第１カム面に接触する第２カム面を有し、前記ハウジングの内部に回転可能に配置される第２カムと、
前記第２カムが連結されて前記第１筐体に固定されるヘッドと、
前記ハウジングの内部に配置されて前記第１カムを付勢するスプリングと、
から構成されることを特徴とする項目１０に記載の携帯端末機。
（項目１２）
前記スライド部材は、その側面に前記ヒンジ部材が固定され、その両側縁部には前記スライドレールにスライド移動可能に装着されるレール部が形成されることを特徴とする項目５に記載の携帯端末機。
（項目１３）
前記スライドレールは、前記第２筐体の上面に締結され、その両側縁部に前記レール部が挿入されるガイド突起が形成されることを特徴とする項目１２に記載の携帯端末機。
（項目１４）
前記スライドレールは、前記スライド部材が支持された状態で前記第２筐体の内部に装着されることを特徴とする項目１２に記載の携帯端末機。
（項目１５）
前記第２筐体の上面に設置され、前記第１筐体が折り畳まれるときに衝撃を緩和すると共に前記第１筐体がスライド移動するときにガイドする緩衝部材をさらに含むことを特徴とする項目１に記載の携帯端末機。
（項目１６）
前記緩衝部材は、前記第２筐体の長手方向に前記第２筐体の上面に突設されることを特徴とする項目１５に記載の携帯端末機。
（項目１７）
前記第２筐体には、前記スライド部材がスライド移動して開くか又は閉じるときに前記スライド部材が係止されるストッパが形成されることを特徴とする項目５に記載の携帯端末機。
（項目１８）
前記ストッパは、前記第２筐体の内側面に突設され、
前記スライド部材が開方向へのスライド移動時に係止される第１ストッパと、
前記スライド部材が閉方向へのスライド移動時に係止される第２ストッパと、
から構成されることを特徴とする項目１７に記載の携帯端末機。
（項目１９）
第１筐体に回転可能に支持されるヒンジユニットと、
前記ヒンジユニットが固定されるスライド部材と、
前記スライド部材がスライド移動可能に装着されて第２筐体に固定されるスライドレールと、
を含むことを特徴とするスライドモジュール。
（項目２０）
前記ヒンジ部材は、その両端がそれぞれ前記第１筐体に回転可能に装着される棒状に形成されることを特徴とする項目１９に記載のスライドモジュール。
（項目２１）
前記ヒンジ部材と前記第１筐体との間には、前記第１筐体の回転方向に付勢するカムユニットが装着されることを特徴とする項目２０に記載のスライドモジュール。
（項目２２）
前記カムユニットは、
前記ヒンジ部材の内部に固定されるハウジングと、
第１カム面を有し、前記ハウジングの内部に直線移動可能に装着される第１カムと、
前記第１カム面に接触する第２カム面を有し、前記ハウジングの内部に回転可能に配置される第２カムと、
前記第２カムが連結されて前記第１筐体に固定されるヘッドと、
前記ハウジングの内部に配置されて前記第１カムを付勢するスプリングと、
から構成されることを特徴とする項目２１に記載のスライドモジュール。
（項目２３）
前記スライド部材は、その側面に前記ヒンジ部材が固定され、その両側縁部には前記スライドレールにスライド移動可能に装着されるレール部が形成されることを特徴とする項目１９に記載のスライドモジュール。
（項目２４）
前記スライドレールは、前記第２筐体の上面に締結され、その両側縁部に前記レール部が挿入されるガイド突起が形成されることを特徴とする項目２３に記載のスライドモジュール。
【発明の効果】
【００１９】
本発明による携帯端末機は、第１筐体にヒンジ部材が回転可能に連結され、第２筐体にスライドレールが装着され、前記ヒンジ部材はスライド部材に固定され、前記スライド部材は前記スライドレールにスライド移動可能に装着されて、携帯端末機を通話モードなどで使用する場合は前記第１筐体をスライド移動させ、携帯端末機を動画像鑑賞又はゲームモードなどで使用する場合は前記第１筐体を折り畳んで使用することにより、多様な機能を満たすことができるという利点がある。
【発明を実施するための最良の形態】
【００２０】
以下、添付図面を参照して本発明の好ましい実施形態を説明する。
【００２１】
図１は、本発明による携帯端末機の斜視図であり、図２は、本発明による携帯端末機がスライド移動した状態を示す斜視図であり、図３は、本発明による携帯端末機が折り畳まれた状態を示す斜視図であり、図４は、本発明による携帯端末機の分解斜視図である。
【００２２】
本発明による携帯端末機は、情報を表示するディスプレイ１２、１４を有する第１筐体１０と、情報を入力するキーパッド２２を有する第２筐体２０と、第１筐体１０と第２筐体２０との間に設置され、第１筐体１０をスライド移動させると共に折り畳むスライドモジュール３０とから構成される。
【００２３】
第１筐体１０は、前面にフロントディスプレイ１２が装着される上部筐体１６と、上部筐体１６に装着されてリアディスプレイ１４が装着される下部筐体１８とから構成される。
【００２４】
第１筐体１０の背面の両側には、サウンドを発生させる一対のスピーカ２、４がそれぞれ装着される。
【００２５】
第２筐体２０は、前面にキーパッド２２が装着される上部筐体２４と、上部筐体２４に装着されてバッテリが収納される下部筐体２６とから構成される。
【００２６】
スライドモジュール３０は、第１筐体１０に回転可能にヒンジ連結されるヒンジ部材３２と、ヒンジ部材３２が固定されるスライド部材３４と、スライド部材３４がスライド移動可能に装着されて第２筐体２０に固定されるスライドレール３６とから構成される。
【００２７】
ヒンジ部材３２は、内部に空間を有する丸棒状に形成され、第１筐体１０の下部筐体１８に形成されたヒンジ連結部３８に回転可能に装着されることが好ましい。
【００２８】
ヒンジ部材３２の一端部には、下部筐体１８の側面に形成されたヒンジ連結部３８から突出したヒンジ突起４０が挿入され、ヒンジ部材３２の他端部と下部筐体１８に形成されたヒンジ連結部３８との間には、第１筐体１０が折り畳まれるときに開方向及び閉方向に付勢するカムユニット４２が装着される。
【００２９】
カムユニット４２は、図５に示すように、ヒンジ部材３２の内部に固定されるハウジング４４と、第１カム面を有し、ハウジング４４の内部に直線移動可能に装着される第１カム４６と、前記第１カム面に接触する第２カム面を有し、ハウジング４４の内部に回転可能に配置される第２カム４８と、第２カム４８が固定されてヒンジ連結部３８に固定されるヘッド５０と、ハウジング４４の内部に配置されて第１カム４６を付勢するスプリング５２とから構成される。
【００３０】
このようなカムユニット４２は、第１筐体１０を開方向（又は閉方向）に回転させると、ヘッド５０により連結される第２カム４８が回転し、これにより、前記第１カム面と前記第２カム面の相互作用により第１カム４６が直線移動して死点を通過すると、スプリング５２の付勢力により第１筐体１０が自動で開く（又は閉じる）。
【００３１】
スライド部材３４は、平板状に形成され、その一側面がヒンジ部材３２の一側面に一体に形成され、スライドレール３６にスライド移動可能に装着される。すなわち、スライド部材３４の両側縁部には、２回直角に折曲されてスライドレール３６に挟まれてスライド移動するレール部５６が形成される。
【００３２】
スライドレール３６は、第２筐体２０に固定され、その上面にスライド部材３４がスライド移動可能に配置され、その両側縁部にはスライド部材３４のレール部５６が挿入されるガイド突起５８が上方向に突設される。
【００３３】
このようなスライドレール３６は、スライド部材３４がスライド移動可能に結合した状態で、第２筐体２０の上部筐体２４と下部筐体２６との間に固定されることが好ましい。
【００３４】
スライドレール３６とスライド部材３４との間には、スライド部材３４を開方向又は閉方向に押すとスライド部材３４が自動でスライド移動するように付勢する付勢ユニット（図示せず）が設置される。
【００３５】
前記付勢ユニットは、スライド部材３４を押して死点を通過するとスプリングの付勢力によりスライド部材３４が自動で開くようにするいずれの構造も適用可能である。
【００３６】
第２筐体２０の上面には、第１筐体１０が折り畳まれるときに発生する衝撃を緩衝する緩衝部材６０が設置される。緩衝部材６０は、衝撃を緩衝する役割と共に、第１筐体１０がスライド移動するときに第１筐体１０をガイドする役割をする。
【００３７】
緩衝部材６０は、ゴム材質で形成され、第２筐体２０の長手方向に第２筐体２０の上面に所定の高さで突設されることが好ましい。
【００３８】
図６は、本発明による携帯端末機の第２筐体にスライドモジュールが装着された状態を示す斜視図であり、図７は、本発明によるスライドモジュールがスライド移動した状態を示す斜視図である。
【００３９】
第２筐体２０の下部筐体２６には、第１筐体１０のスライド移動時にスライド部材３４が係止されて第１筐体１０のスライド移動距離を制限するストッパ６２、６４が形成される。
【００４０】
ストッパ６２、６４は、第２筐体２０の下部筐体２６の上面に突設され、第１筐体１０がスライド移動して開いた状態のときにスライド部材３４の一側面が係止される第１ストッパ６２と、第１筐体１０がスライド移動して閉じた状態のときにスライド部材３４の他側面が係止される第２ストッパ６４とから構成される。
【００４１】
図８は、本発明による携帯端末機のＦＰＣ接続構造を示す斜視図であり、図９及び図１０は、本発明による携帯端末機のＦＰＣ接続構造を示す正面図である。
【００４２】
第１筐体１０と第２筐体２０との間には、第１筐体１０と第２筐体２０とを電気的に接続するＦＰＣ７０が備えられる。
【００４３】
ヒンジ部材３２には、その長手方向に第１筐体１０に接続されるＦＰＣ７０が通過する通路７２が形成され、ヒンジ部材３２の中央側には、通路７２を通過したＦＰＣ７０が第２筐体２０に接続されるように引き出される引出孔７４が形成される。
【００４４】
また、第２筐体２０の上部筐体２４の側面には、その長手方向に引出孔７４を通過したＦＰＣ７０が重なった状態で収納される収納部７６が形成される。収納部７６の一側には、収納部７６に収納されるＦＰＣ７０が第２筐体２０に接続されるように引き出される引出孔７８が形成される。
【００４５】
ここで、ＦＰＣ７０は、収納部７６に重なった状態で配置されるため、第１筐体１０のスライド移動時にＦＰＣ７０が伸びて第１筐体１０のスライド移動を妨害しない。
【００４６】
このようなＦＰＣ７０は、その一端が第１筐体１０に接続され、ヒンジ部材３２に形成された通路７２を通過した後、ヒンジ部材３２に形成された引出孔７４から引き出されて第２筐体２０に形成された収納部７６に重なった状態で収納され、収納部７６に形成された引出孔７８から引き出されて第２筐体２０に接続される。
【００４７】
以下、このように構成される本発明によるスライドモジュールの動作を説明する。
【００４８】
まず、携帯端末機を通信モードなどで使用する場合に第１筐体１０をスライド移動させる動作を説明する。
【００４９】
第１筐体１０を長手方向に押すと、第１筐体１０にヒンジ部材３２により連結されたスライド部材３４が第２筐体２０に固定されたスライドレール３６に沿ってスライド移動して、第１筐体１０のスライド移動をガイドする。このとき、スライド部材３４とスライドレール３６との間に設置された付勢ユニットが第１筐体１０を付勢して、第１筐体１０が自動で開く。
【００５０】
また、ＦＰＣ７０は、第２筐体２０に形成された収納部７６に重なった状態で収納されて第１筐体１０のスライド移動時に伸びるため、第１筐体１０のスライド移動を妨害しない。
【００５１】
次に、携帯端末機を動画像鑑賞又はゲームモードなどで使用する場合、第１筐体１０を横方向に回転させる動作を説明する。
【００５２】
第１筐体１０を回転させると、第２筐体２０に装着されたスライド部材３４に固定されたヒンジ部材３２を中心に第１筐体１０に形成されたヒンジ連結部３８が回転して、第１筐体１０の回転をガイドする。ここで、第１筐体１０の回転時、ヒンジ連結部３８とヒンジ部材３２との間に装着されたカム部材４２が、第１筐体１０が死点を通過する開方向に付勢して、第１筐体１０が自動で開くようにする。また、カム部材４２は、第１筐体１０を閉じるときにも同じ付勢力で第１筐体１０を付勢する。
【００５３】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【００５４】
上下方向にスライド移動すると共に左右方向に折り畳まれるようにして、多様な機能を満たすことのできるスライドモジュール及びそのスライドモジュールを有する携帯端末機を提供する。
【００５５】
携帯端末機は、第１筺体と、前記第１筐体が開閉可能に装着される第２筐体と、前記第１筺体と前記第２筐体との間に装着され、前記第１筐体を一方向にスライド移動させると共に他方向に折り畳むスライドモジュールとを含む。
【図面の簡単な説明】
【００５６】
【図１】本発明による携帯端末機の斜視図である。
【図２】本発明による携帯端末機がスライド移動した状態を示す斜視図である。
【図３】本発明による携帯端末機が折り畳まれた状態を示す斜視図である。
【図４】本発明による携帯端末機の分解斜視図である。
【図５】本発明によるスライドモジュールのカムユニットを示す断面図である。
【図６】本発明による携帯端末機の第２筐体にスライドモジュールが装着された状態を示す斜視図である。
【図７】本発明によるスライドモジュールがスライド移動した状態を示す斜視図である。
【図８】本発明による携帯端末機のＦＰＣ接続構造を示す斜視図である。
【図９】本発明による携帯端末機のＦＰＣ接続構造を示す正面図である。
【図１０】本発明による携帯端末機のＦＰＣ接続構造を示す正面図である。
【図１１】従来のスライド型携帯端末機の斜視図である。
【符号の説明】
【００５７】
１０  第１筐体
２０  第２筐体
３０  スライドモジュール
３２  ヒンジ部材
３４  スライド部材
３６  スライドレール
３８  ヒンジ連結部
４２  カムユニット
７０  ＦＰＣ
【図１】
2007116709.tif 000003
【図２】
2007116709.tif 000004
【図３】
2007116709.tif 000005
【図４】
2007116709.tif 000006
【図５】
2007116709.tif 000007
【図６】
2007116709.tif 000008
【図７】
2007116709.tif 000009
【図８】
2007116709.tif 000010
【図９】
2007116709.tif 000011
【図１０】
2007116709.tif 000012
【図１１】
2007116709.tif 000013